(57)【要約】ユーザ装置をページングする装置、方法及び通信システムを提供する。該方法は、ユーザ装置の固有識別情報、又はユーザ装置の固有識別情報及びネットワーク構成パラメータに基づいて第１グレードページンググループインデックスを計算するステップと、ＭＭＥにより割り当てられたネットワーク識別情報に基づいて第２グレードページンググループインデックスを計算するステップと、基地局により送信されたページンググループインデックスを示す指示情報を受信するステップと、該指示情報に含まれている情報と該第１グレードページンググループインデックス及び該第２グレードページンググループインデックスとが一致するか否かを決定するステップと、一致する場合、ダウンリンクデータチャネルを復号し、該ユーザ装置がページングされたか否かを決定するステップとを含む。これによって、異なるページンググループは同一又は近似の数のユーザ装置を有することができ、セル全体の「偽のページング」の確率を低減できる。【選択図】図１
2019503127.tif 000002
【特許請求の範囲】
【請求項１】
ユーザ装置に配置された、ユーザ装置をページングする装置であって、
前記ユーザ装置の固有識別情報、又は前記ユーザ装置の固有識別情報及びネットワーク構成パラメータに基づいて、前記ユーザ装置の第１グレードページンググループインデックスを計算する第１計算手段と、
ＭＭＥ（モビリティ管理エンティティ）により前記ユーザ装置のために割り当てられたネットワーク識別情報に基づいて、前記ユーザ装置の第２グレードページンググループインデックスを計算する第２計算手段と、
基地局により送信された、ページンググループインデックスを示す指示情報を受信する情報受信手段であって、前記ページンググループインデックスは第１グレードページンググループインデックス及び第２グレードページンググループインデックスを含む、情報受信手段と、
前記指示情報に含まれている前記第１グレードページンググループインデックスと前記第１計算手段により算出された前記第１グレードページンググループインデックスとが一致するか否かを決定し、前記指示情報に含まれている前記第２グレードページンググループインデックスと前記第２計算手段により算出された前記第２グレードページンググループインデックスとが一致するか否かを決定する情報決定手段と、
前記指示情報に含まれている前記第１グレードページンググループインデックスと前記第１計算手段により算出された前記第１グレードページンググループインデックスとが一致し、且つ前記指示情報に含まれている前記第２グレードページンググループインデックスと前記第２計算手段により算出された前記第２グレードページンググループインデックスとが一致する場合、前記基地局により送信されたダウンリンクデータチャネルを復号し、前記ユーザ装置がページングされたか否かを決定する情報復号手段と、を含む、装置。
【請求項２】
前記ユーザ装置の固有識別情報は国際移動体加入者識別子であり、前記ネットワーク識別情報は一時移動体加入者識別子であり、前記ネットワーク構成パラメータはセルのページング周期におけるページングオケージョンの数ｎＢである、請求項１に記載の装置。
【請求項３】
前記第１計算手段は、以下の式に従って前記第１グレードページンググループインデックスを計算し、
ＵＥ＿ＩＤ＝ＩＭＳＩ  ｍｏｄ  １０２４
Ｐａｇｉｎｇ＿ＧｒｏｕｐＩＤ＝ＵＥ＿ＩＤ  ｄｉｖ  ｎＢ、又はＰａｇｉｎｇ＿ＧｒｏｕｐＩＤ＝ｆｌｏｏｒ（ＵＥ＿ＩＤ／ｎＢ）
ここで、Ｐａｇｉｎｇ＿ＧｒｏｕｐＩＤは前記第１グレードページンググループインデックスであり、ＩＭＳＩは前記国際移動体加入者識別子であり、ｎＢは前記ネットワーク構成パラメータであり、ｍｏｄはモジュロ演算を表し、ｄｉｖは除算演算を表し、ｆｌｏｏｒは床関数演算を表す、請求項２に記載の装置。
【請求項４】
前記第２計算手段は、以下の式に従って前記第２グレードページンググループインデックスを計算し、
Ｓ−ＴＭＳＩ＿ＧｒｏｕｐＩＤ＝Ｓ−ＴＭＳＩ  ｍｏｄ  ２＾Ｍ
ここで、Ｓ−ＴＭＳＩ＿ＧｒｏｕｐＩＤは前記第２グレードページンググループインデックスであり、Ｓ−ＴＭＳＩは前記一時移動体加入者識別子であり、ＭはＳ−ＴＭＳＩグループ分けに用いられる所定のビット数であり、ｍｏｄはモジュロ演算を表す、請求項２に記載の装置。
【請求項５】
前記情報受信手段は、物理ダウンリンク制御チャネルのダウンリンク制御情報を監視することで前記指示情報を取得し、或いは前記基地局により送信されたシステム情報を受信することで前記指示情報を取得し、
前記ダウンリンクデータチャネルは、物理ダウンリンク共有チャネルである、請求項１に記載の装置。
【請求項６】
前記情報受信手段は、前記基地局により送信された周期情報をさらに受信し、
前記周期情報は、ページングメッセージが受信された後の複数のページング周期内で監視が必要でないことを示す、請求項１に記載の装置。
【請求項７】
基地局に配置された、ユーザ装置をページングする装置であって、
ページンググループインデックスを示す指示情報を送信する情報送信手段であって、前記ページンググループインデックスは第１グレードページンググループインデックス及び第２グレードページンググループインデックスを含む、情報送信手段を含み、
前記第１グレードページンググループインデックスは、ユーザ装置の固有識別情報、又は前記ユーザ装置の固有識別情報及びネットワーク構成パラメータに基づいて取得され、
前記第２グレードページンググループインデックスは、ＭＭＥ（モビリティ管理エンティティ）により前記ユーザ装置のために割り当てられたネットワーク識別情報に基づいて取得される、装置。
【請求項８】
前記ＭＭＥにより送信された前記ネットワーク識別情報を受信する識別情報受信手段と、
前記ユーザ装置の固有識別情報、又は前記ユーザ装置の固有識別情報及びネットワーク構成パラメータに基づいて、前記ユーザ装置の第１グレードページンググループインデックスを計算する第３計算手段と、
前記ネットワーク識別情報に基づいて、前記ユーザ装置の第２グレードページンググループインデックスを計算する第４計算手段と、をさらに含む、請求項７に記載の装置。
【請求項９】
前記ＭＭＥにより送信された前記第１グレードページンググループインデックス及び前記第２グレードページンググループインデックスを受信するインデックス受信手段、をさらに含む、請求項７に記載の装置。
【請求項１０】
前記情報送信手段は、周期情報をさらに送信し、
前記周期情報は、前記ユーザ装置がページングメッセージを受信した後の複数のページング周期内で監視が必要でないことを示す、請求項７に記載の装置。
【請求項１１】
前記ユーザ装置の固有識別情報は国際移動体加入者識別子であり、前記ネットワーク識別情報は一時移動体加入者識別子であり、前記ネットワーク構成パラメータはセルのページング周期におけるページングオケージョンの数である、請求項７に記載の装置。
【請求項１２】
ＭＭＥ（モビリティ管理エンティティ）に配置された、ユーザ装置をページングする装置であって、
前記ＭＭＥにアタッチされているユーザ装置のためにネットワーク識別情報を割り当てる識別情報割り当て手段、を含み、
前記ネットワーク識別情報は、同一の第１グレードページンググループに属する複数のユーザ装置を、異なる第２グレードページンググループ内に均一に分布させるものであり、
前記第１グレードページンググループは、前記複数のユーザ装置の固有識別情報、又は前記複数のユーザ装置の固有識別情報及びネットワーク構成パラメータに基づいて形成される、装置。
【請求項１３】
前記ユーザ装置のために割り当てられた前記ネットワーク識別情報を基地局に送信する識別情報送信手段、をさらに含む、請求項１２に記載の装置。
【請求項１４】
前記ユーザ装置の固有識別情報、又は前記ユーザ装置の固有識別情報及びネットワーク構成パラメータに基づいて、前記ユーザ装置の第１グレードページンググループインデックスを計算する第５計算手段と、
前記ネットワーク識別情報に基づいて、前記ユーザ装置の第２グレードページンググループインデックスを計算する第６計算手段と、
前記第１グレードページンググループインデックス及び前記第２グレードページンググループインデックスを基地局に送信するインデックス送信手段と、をさらに含む、請求項１２に記載の装置。
【請求項１５】
前記固有識別情報は国際移動体加入者識別子であり、前記ネットワーク識別情報は一時移動体加入者識別子であり、前記ネットワーク構成パラメータはセルのページング周期におけるページングオケージョンの数である、請求項１２に記載の装置。
【請求項１６】
前記識別情報割り当て手段は、
前記ユーザ装置の前記国際移動体加入者識別子におけるＬビットを決定するビット決定手段であって、ここで、前記Ｌは所定値であり、前記Ｌビットにより構成された数値はｔｅｍｐであり、前記ｔｅｍｐは変数Ｓ−ＴＭＳＩ＿Ｇｒｏｕｐ［ｔｅｍｐ］に対応する、ビット決定手段と、
Ｓ−ＴＭＳＩ  ｍｏｄ  ２＾Ｍ＝Ｓ−ＴＭＳＩ＿Ｇｒｏｕｐ［ｔｅｍｐ］という条件を満たす前記一時移動体加入者識別子を生成する識別情報生成手段であって、ここで、前記ＭはＳ−ＴＭＳＩグループ分けに用いられる所定のビット数であり、ｍｏｄはモジュロ演算を表す、識別情報生成手段と、
前記Ｓ−ＴＭＳＩを前記ユーザ装置に割り当てる識別情報決定手段と、
Ｓ−ＴＭＳＩ＿Ｇｒｏｕｐ［ｔｅｍｐ］を更新する変数更新手段と、を含む、請求項１５に記載の装置。
【請求項１７】
前記識別情報割り当て手段は、
２＾Ｌ個の変数Ｓ−ＴＭＳＩ＿ＧｒｏｕｐＩＤ［ｉ］を記憶する変数記憶手段であって、ここで、ｉ＝０，１，２，３，…，２＾Ｌ−１となる、変数記憶手段と、
Ｓ−ＴＭＳＩ＿ＧｒｏｕｐＩＤ［ｉ］を初期化し、前記変数更新手段により更新されたＳ−ＴＭＳＩ＿Ｇｒｏｕｐ［ｔｅｍｐ］の値が２＾Ｍに等しくなる場合、前記Ｓ−ＴＭＳＩ＿Ｇｒｏｕｐ［ｔｅｍｐ］をリセットする初期化手段と、をさらに含む、請求項１６に記載の装置。
【請求項１８】
前記ビット決定手段は、前記第１グレードページンググループが前記複数のユーザ装置の固有識別情報及びネットワーク構成パラメータに基づいて形成された場合、前記国際移動体加入者識別子における下位１０ビットを選択し、
ここで、ＵＥ＿ＩＤ＝ＩＭＳＩ  ｍｏｄ  １０２４、
Ｐａｇｉｎｇ＿ＧｒｏｕｐＩＤ＝ＵＥ＿ＩＤ  ｄｉｖ  ｎＢ、又はＰａｇｉｎｇ＿ＧｒｏｕｐＩＤ＝ｆｌｏｏｒ（ＵＥ＿ＩＤ／ｎＢ）、
Ｐａｇｉｎｇ＿ＧｒｏｕｐＩＤは第１グレードページンググループインデックスであり、ＩＭＳＩは国際移動体加入者識別子であり、ｎＢは前記ネットワーク構成パラメータであり、ｍｏｄはモジュロ演算を表し、ｄｉｖは除算演算を表し、ｆｌｏｏｒは床関数演算を表す、請求項１６に記載の装置。
【請求項１９】
前記ビット決定手段は、前記第１グレードページンググループが前記複数のユーザ装置の固有識別情報に基づいて形成された場合、前記国際移動体加入者識別子における下位１０ビット及び低い順のｌｏｇ２Ｐ＋１番目のビットからｌｏｇ２（Ｇ＊Ｐ）番目のビットを選択し、
ここで、Ｐａｇｉｎｇ＿ＧｒｏｕｐＩＤ＝（ＩＭＳＩ  ｍｏｄ  Ｇ＊Ｐ）／Ｐ、
Ｇ及びＰは所定値であり、且つＰ≧１０２４、Ｐａｇｉｎｇ＿ＧｒｏｕｐＩＤは第１グレードページンググループインデックスであり、ＩＭＳＩは国際移動体加入者識別子であり、ｍｏｄはモジュロ演算を表す、請求項１６に記載の装置。
【請求項２０】
請求項１に記載のユーザ装置をページングする装置が配置されているユーザ装置と、
請求項７に記載のユーザ装置をページングする装置が配置されている基地局と、
請求項１２に記載のユーザ装置をページングする装置が配置されているＭＭＥと、を含む通信システム。
【発明の詳細な説明】
【技術分野】
【０００１】
本発明の実施例は、無線通信技術の分野に関し、特にユーザ装置をページングする装置、方法及び通信システムに関する。
【背景技術】
【０００２】
モノのインターネット（ＩｏＴ：Ｉｎｔｅｒｎｅｔ  ｏｆ  Ｔｈｉｎｇｓ）は次世代の移動通信ネットワークでますます広く応用されている。ＩｏＴのトラフィックは多くの新たな特徴を有し、例えば、極低消費電力が要求され、大規模なユーザ装置（ＵＥ：Ｕｓｅｒ  Ｅｑｕｉｐｍｅｎｔ）が配備され、データフローが比較的に少なく、トラフィックレイテンシに対する要求が高くない。これらの特徴は、ＬＴＥシステムへ多くの技術的要求をもたらし、そのうちの重要な要求として、ユーザ装置の動作はできるだけ節電でなければならない。
【０００３】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）では、ＩｏＴトラフィックをサポートする新たな無線通信技術、即ち狭帯域モノのインターネット（ＮＢ−ＩｏＴ：Ｎａｒｒｏｗ  Ｂａｎｄ  Ｉｎｔｅｒｎｅｔ  ｏｆ  Ｔｈｉｎｇｓ）技術についてのトピックが研究されている。ＮＢ−ＩｏＴ技術は、既存のＬＴＥ技術をベースにして、ＩｏＴトラフィックの要求を満足するためにさらに強化された新たな狭帯域通信技術である。
【０００４】
ＮＢ−ＩｏＴ及びＬＴＥシステムにおけるユーザ装置のページング（Ｐａｇｉｎｇ）方式、特にアイドル状態（ＩＤＬＥ）にあるユーザ装置へのページング方式は、できるだけ消費電力を節約することが要求されている。従来のページング方式では、ユーザ装置は各ページング周期（Ｐａｇｉｎｇ  Ｃｙｃｌｅ）内で所定のシステムフレーム番号（ＳＦＮ：Ｓｙｓｔｅｍ  Ｆｒａｍｅ  Ｎｕｍｂｅｒ）における所定のサブフレーム（Ｓｕｂｆｒａｍｅ）において、ネットワークにより送信されたページングメッセージを監視する。ユーザ装置がページングを監視するためのシステムフレームはページングフレーム（ＰＦ：Ｐａｇｉｎｇ  Ｆｒａｍｅ）と称され、ＰＦにおけるページングを監視するためのサブフレームはページングオケージョン（ＰＯ：Ｐａｇｉｎｇ  Ｏｃｃａｓｉｏｎ）と称される。
【０００５】
ここで、各ユーザ装置がそのＰＦ及びＰＯを計算するための式は、ＳＦＮ  ｍｏｄ  Ｔ＝（Ｔ  ｄｉｖ  Ｎ）＊（ＵＥ＿ＩＤ  ｍｏｄ  Ｎ）、ｉ＿ｓ＝ｆｌｏｏｒ（ＵＥ＿ＩＤ／Ｎ）  ｍｏｄ  Ｎｓとなる。ここで、ＳＦＮとｉ＿ｓはそれぞれＰＦとＰＯの位置を決定し、Ｎ、Ｔ、Ｎｓ及びｎＢ等のパラメータはネットワークで構成されたものであり、例えばＮ：ｍｉｎ（Ｔ，ｎＢ）、Ｎｓ：ｍａｘ（１，ｎＢ／Ｔ）、ＵＥ＿ＩＤ＝ＩＭＳＩ  ｍｏｄ  １０２４となる。国際移動体加入者識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）はユーザ装置内で固定化された数値であり、ｎＢはネットワークによりシステム情報においてブロードキャストされるパラメータであり、セルのページング周期におけるＰＯの総数を表す。
【０００６】
ユーザ装置のトラフィックデータが到達すると、モビリティ管理エンティティ（ＭＭＥ：Ｍｏｂｉｌｉｔｙ  Ｍａｎａｇｅｍｅｎｔ  Ｅｎｔｉｔｙ）が基地局（例えばｅＮＢ）にページングメッセージを送信し、基地局が該ユーザ装置のＰＯ内でページングメッセージを送信する。該ページングメッセージは、例えば物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）におけるダウンリンク制御情報（ＤＣＩ：Ｄｏｗｎｌｉｎｋ  Ｃｏｎｔｒｏｌ  Ｉｎｆｏｒｍａｔｉｏｎ）により示される物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）によりキャリーされる。ユーザ装置がＰＤＳＣＨ上のページングメッセージを復号した後に、該ページングメッセージにおけるユーザ装置識別情報が自分の識別情報と同一であると、該ユーザ装置がページングされ、接続確立要求を開始すべきであることを意味する。
【０００７】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００８】
発明者の発見によると、従来のＰＦ及びＰＯの割り当て規則に従って、複数のユーザ装置が同一のＰＦ及びＰＯを有する可能性がある。ＰＯに対応するユーザ装置がページングされた場合、該ＰＯ内の他のユーザ装置もＰＤＣＣＨ及びＰＤＳＣＨを復号する。しかし、他のユーザ装置がＰＤＳＣＨのページングメッセージから自分のユーザ装置識別情報を見つけることができず、これらのユーザ装置がページングされていないことを意味するため、実際にはこれらのユーザ装置がＰＤＳＣＨ復号の電力を浪費してしまう。
【０００９】
このような電力消費の現象は「偽のページング」（ｆａｌｓｅ  ｐａｇｉｎｇ）と称されてもよい。セル内のユーザ装置の数が多いほど、「偽のページング」の現象が深刻になり、ユーザ装置の電力浪費が多くなる。このため、大規模なユーザ装置を有するＩｏＴネットワークでは、「偽のページング」の問題を解決すべきである。
【００１０】
本発明の実施例は、異なるページンググループが同一又は近似の数のユーザ装置を有するように、ページングされるユーザ装置をグループ分けし、セル全体の「偽のページング」の確率を低減するユーザ装置のページング装置、方法及び通信システムを提供する。
【課題を解決するための手段】
【００１１】
本発明の実施例の第１の態様では、ユーザ装置をページングする方法であって、ユーザ装置の固有識別情報、又は前記ユーザ装置の固有識別情報及びネットワーク構成パラメータに基づいて、前記ユーザ装置の第１グレードページンググループインデックスを計算するステップと、ＭＭＥ（モビリティ管理エンティティ）により前記ユーザ装置のために割り当てられたネットワーク識別情報に基づいて、前記ユーザ装置の第２グレードページンググループインデックスを計算するステップと、基地局により送信された、ページンググループインデックスを示す指示情報を受信するステップであって、前記ページンググループインデックスは第１グレードページンググループインデックス及び第２グレードページンググループインデックスを含む、ステップと、前記指示情報に含まれている前記第１グレードページンググループインデックスと算出された前記第１グレードページンググループインデックスとが一致するか否かを決定し、前記指示情報に含まれている前記第２グレードページンググループインデックスと算出された前記第２グレードページンググループインデックスとが一致するか否かを決定するステップと、前記指示情報に含まれている前記第１グレードページンググループインデックスと算出された前記第１グレードページンググループインデックスとが一致し、且つ前記指示情報に含まれている前記第２グレードページンググループインデックスと算出された前記第２グレードページンググループインデックスとが一致する場合、前記基地局により送信されたダウンリンクデータチャネルを復号し、前記ユーザ装置がページングされたか否かを決定するステップと、を含む、方法を提供する。
【００１２】
本発明の実施例の第２の態様では、ユーザ装置に配置された、ユーザ装置をページングする装置であって、前記ユーザ装置の固有識別情報、又は前記ユーザ装置の固有識別情報及びネットワーク構成パラメータに基づいて、前記ユーザ装置の第１グレードページンググループインデックスを計算する第１計算手段と、ＭＭＥ（モビリティ管理エンティティ）により前記ユーザ装置のために割り当てられたネットワーク識別情報に基づいて、前記ユーザ装置の第２グレードページンググループインデックスを計算する第２計算手段と、基地局により送信された、ページンググループインデックスを示す指示情報を受信する情報受信手段であって、前記ページンググループインデックスは第１グレードページンググループインデックス及び第２グレードページンググループインデックスを含む、情報受信手段と、前記指示情報に含まれている前記第１グレードページンググループインデックスと前記第１計算手段により算出された前記第１グレードページンググループインデックスとが一致するか否かを決定し、前記指示情報に含まれている前記第２グレードページンググループインデックスと前記第２計算手段により算出された前記第２グレードページンググループインデックスとが一致するか否かを決定する情報決定手段と、前記指示情報に含まれている前記第１グレードページンググループインデックスと前記第１計算手段により算出された前記第１グレードページンググループインデックスとが一致し、且つ前記指示情報に含まれている前記第２グレードページンググループインデックスと前記第２計算手段により算出された前記第２グレードページンググループインデックスとが一致する場合、前記基地局により送信されたダウンリンクデータチャネルを復号し、前記ユーザ装置がページングされたか否かを決定する情報復号手段と、を含む、装置を提供する。
【００１３】
本発明の実施例の第３の態様では、ユーザ装置をページングする方法であって、ページンググループインデックスを示す指示情報を送信するステップであって、前記ページンググループインデックスは第１グレードページンググループインデックス及び第２グレードページンググループインデックスを含む、ステップを含み、前記第１グレードページンググループインデックスは、ユーザ装置の固有識別情報、又は前記ユーザ装置の固有識別情報及びネットワーク構成パラメータに基づいて取得され、前記第２グレードページンググループインデックスは、ＭＭＥ（モビリティ管理エンティティ）により前記ユーザ装置のために割り当てられたネットワーク識別情報に基づいて取得される、方法を提供する。
【００１４】
本発明の実施例の第４の態様では、基地局に配置された、ユーザ装置をページングする装置であって、ページンググループインデックスを示す指示情報を送信する情報送信手段であって、前記ページンググループインデックスは第１グレードページンググループインデックス及び第２グレードページンググループインデックスを含む、情報送信手段を含み、前記第１グレードページンググループインデックスは、ユーザ装置の固有識別情報、又は前記ユーザ装置の固有識別情報及びネットワーク構成パラメータに基づいて取得され、前記第２グレードページンググループインデックスは、ＭＭＥ（モビリティ管理エンティティ）により前記ユーザ装置のために割り当てられたネットワーク識別情報に基づいて取得される、装置を提供する。
【００１５】
本発明の実施例の第５の態様では、ユーザ装置をページングする方法であって、ＭＭＥ（モビリティ管理エンティティ）にアタッチされているユーザ装置のためにネットワーク識別情報を割り当てるステップ、を含み、前記ネットワーク識別情報は、同一の第１グレードページンググループに属する複数のユーザ装置を、異なる第２グレードページンググループ内に均一に分布させるものであり、前記第１グレードページンググループは、前記複数のユーザ装置の固有識別情報、又は前記複数のユーザ装置の固有識別情報及びネットワーク構成パラメータに基づいて形成される、方法を提供する。
【００１６】
本発明の実施例の第６の態様では、ＭＭＥ（モビリティ管理エンティティ）に配置された、ユーザ装置をページングする装置であって、前記ＭＭＥにアタッチされているユーザ装置のためにネットワーク識別情報を割り当てる識別情報割り当て手段、を含み、前記ネットワーク識別情報は、同一の第１グレードページンググループに属する複数のユーザ装置を、異なる第２グレードページンググループ内に均一に分布させるものであり、前記第１グレードページンググループは、前記複数のユーザ装置の固有識別情報、又は前記複数のユーザ装置の固有識別情報及びネットワーク構成パラメータに基づいて形成される、装置を提供する。
【００１７】
本発明の実施例の第７の態様では、前記第２の態様に記載のユーザ装置をページングする装置が配置されているユーザ装置と、前記第４の態様に記載のユーザ装置をページングする装置が配置されている基地局と、前記第６の態様に記載のユーザ装置をページングする装置が配置されているＭＭＥと、を含む通信システムを提供する。
【００１８】
本発明の実施例の有益な効果としては、ユーザ装置の固有識別情報、又はユーザ装置の固有識別情報及びネットワーク構成パラメータに基づいて第１グレードページンググループをグループ分けし、ネットワークによりユーザ装置のために割り当てられたネットワーク識別情報に基づいて第２グレードページンググループをグループ分けすることで、異なるページンググループが同一又は近似の数のユーザ装置を有することができ、セル全体の「偽のページング」の確率を低減できる。
【００１９】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２０】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２１】
なお、本文では、用語「包括／含む」は、特徴、部材、ステップ又はコンポーネントが存在することを意味し、一つ又は複数の他の特徴、部材、ステップ又はコンポーネントの存在又は付加を排除しない。
【図面の簡単な説明】
【００２２】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００２３】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例１のユーザ装置のページング方法を示す図である。
【図２】本発明の実施例１のユーザ装置のページング方法を示す他の図である。
【図３】本発明の実施例２のユーザ装置のページング方法を示す図である。
【図４】本発明の実施例２のユーザ装置のページング方法を示す他の図である。
【図５】本発明の実施例２のユーザ装置のページング方法を示す他の図である。
【図６】本発明の実施例３のユーザ装置のページング方法を示す図である。
【図７】本発明の実施例３のＳ−ＴＭＳＩの割り当て方法を示す図である。
【図８】本発明の実施例４のユーザ装置のページング装置を示す図である。
【図９】本発明の実施例４のユーザ装置を示す図である。
【図１０】本発明の実施例５のユーザ装置のページング装置を示す図である。
【図１１】本発明の実施例５のユーザ装置のページング装置を示す他の図である。
【図１２】本発明の実施例５のユーザ装置のページング装置を示す他の図である。
【図１３】本発明の実施例５の基地局を示す図である。
【図１４】本発明の実施例６のユーザ装置のページング装置を示す図である。
【図１５】本発明の実施例６のユーザ装置のページング装置を示す他の図である。
【図１６】本発明の実施例６のユーザ装置のページング装置を示す他の図である。
【図１７】本発明の実施例６の識別情報割り当て部を示す図である。
【図１８】本発明の実施例６のＭＭＥを示す図である。
【図１９】本発明の実施例７の通信システムを示す図である。
【発明を実施するための形態】
【００２４】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２５】
「偽のページング」について、ユーザ装置の電力をできるだけ節約するために、ユーザ装置のページング周期を拡張する方法を採用できる。しかし、全てのＩｏＴトラフィックのレイテンシ要件はページング周期の拡張を許容するわけではない。このようなトラフィックについて、ユーザ装置をグループ分けする方法を用い、ページングする際にＰＤＣＣＨのＤＣＩにおいて今回ページングされたユーザ装置の所属するページンググループ（ｐａｇｉｎｇ  ｇｒｏｕｐ）を指示してもよい。ＰＯ内のユーザ装置は、指示されたページンググループ内のユーザ装置のみがＰＤＳＣＨを復号するため、「偽のページング」の確率を大幅に低減できる。
【００２６】
セル内のユーザ装置をグループ分けする方法は多数あり、通常のグループ分け方法は、ユーザ装置のＩＭＳＩに基づいてその所属するページンググループ番号を決定するものであり、ネットワークにおけるページンググループの数はネットワークにより構成されてもよい。しかし、このような通常のページンググループ分け方法では、ＩＭＳＩはランダムに割り当てられ、且つユーザ装置内で固定化されたものであるため、グループ分け後のＰＯ内の各ページンググループに実際に存在するユーザ装置の数は不均一になる可能性がある。
【００２７】
特定の場合には、ＰＯ内のユーザ装置の数がページンググループにおいて極めて不均一に分布することにより、該ＰＯのあるグループ内のユーザ装置の数が該ＰＯ内の他のグループのユーザ装置の数より遥かに多い。このユーザ装置の数の比較的に多いページンググループは該ＰＯにおいて依然として非常に高い「偽のページング」確率を有する。同一のＰＯ内の異なるページンググループのユーザ装置の数が同一である場合は、該ＰＯは最小の「偽のページング」確率を有する。上記通常のページンググループのグループ分け方法は、この点を保証できず、あるＰＯは依然として比較的に高い「偽のページング」確率を有する可能性があり、一部のユーザ装置の消費電力は著しく増加する可能性がある。
【００２８】
従って、本発明では、ユーザ装置の固有識別情報、又はユーザ装置の固有識別情報及びネットワーク構成パラメータに基づいて第１グレードページンググループをグループ分けし、ネットワークによりユーザ装置のために割り当てられたネットワーク識別情報に基づいて第２グレードページンググループをグループ分けすることで、異なるページンググループが同一又は近似の数のユーザ装置を有することができ、セル全体の「偽のページング」の確率を低減できる。
【００２９】
以下は、ＮＢ−ＩｏＴ及びＬＴＥを例として本発明の実施例を詳細に説明するが、本発明はこれに限定されず、他の通信システムに適用されてもよい。ユーザ装置の数が多く、且つユーザ装置をページングする必要な通信システムは、全て本発明を適用できる。
【００３０】
＜実施例１＞
本発明の実施例はユーザ装置のページング方法を提供する。図１は本発明の実施例のユーザ装置のページング方法を示す図であり、ユーザ装置側から本発明を説明する。図１に示すように、該方法は以下のステップを含む。
【００３１】
ステップ１０１：ユーザ装置は、該ユーザ装置の固有識別情報、又は該ユーザ装置の固有識別情報及びネットワーク構成パラメータに基づいて、該ユーザ装置の第１グレードページンググループインデックス（ｆｉｒｓｔ−ｇｒａｄｅ  ｐａｇｉｎｇ  ｇｒｏｕｐ  ｉｎｄｅｘ）を計算する。
【００３２】
ステップ１０２：ユーザ装置は、ＭＭＥ（モビリティ管理エンティティ）により該ユーザ装置のために割り当てられたネットワーク識別情報に基づいて、該ユーザ装置の第２グレードページンググループインデックス（ｓｅｃｏｎｄ−ｇｒａｄｅ  ｐａｇｉｎｇ  ｇｒｏｕｐ  ｉｎｄｅｘ）を計算する。
【００３３】
ステップ１０３：ユーザ装置は、基地局により送信された、ページンググループインデックスを示す指示情報を受信し、該ページンググループインデックスは第１グレードページンググループインデックス及び第２グレードページンググループインデックスを含む。
【００３４】
ステップ１０４：ユーザ装置は、指示情報に含まれている第１グレードページンググループインデックスと算出された第１グレードページンググループインデックスとが一致するか否かを決定し、指示情報に含まれている第２グレードページンググループインデックスと算出された第２グレードページンググループインデックスとが一致するか否かを決定する。
【００３５】
ステップ１０５：ユーザ装置は、指示情報に含まれている第１グレードページンググループインデックスと算出された第１グレードページンググループインデックスとが一致し、且つ指示情報に含まれている第２グレードページンググループインデックスと算出された第２グレードページンググループインデックスとが一致する場合、基地局により送信されたダウンリンクデータチャネルを復号し、該ユーザ装置がページングされたか否かを決定する。
【００３６】
本実施例では、該ユーザ装置は例えば狭帯域ＩｏＴの端末であってもよいが、本発明はこれに限定されず、例えば該ユーザ装置は他のネットワークシステムの端末であってもよい。本発明の実施例は、狭帯域ＩｏＴを一例にして説明するが、これに限定されず、ユーザ装置をページングする如何なるシステムに適用されてもよい。
【００３７】
また、本発明の実施例の基地局は、マクロ基地局（例えばｅＮＢ）であってもよく、ユーザ装置は該マクロ基地局によるマクロセル（例えばＭａｃｒｏ  ｃｅｌｌ）によりサービスが提供されてもよい。本発明の実施例の基地局は、ピコ基地局であってもよく、ユーザ装置は該ピコ基地局によるピコセル（例えばＰｉｃｏ  ｃｅｌｌ）によりサービスが提供されてもよい。本発明の実施例は、これに限定されず、実際の需要に応じて具体的なシナリオを決定してもよい。
【００３８】
本実施例では、ユーザ装置の固有識別情報はＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）であってもよく、ユーザ装置のネットワーク識別情報は一時移動体加入者識別子（Ｓ−ＴＭＳＩ：ＳＡＥ（ｓｙｓｔｅｍ  ａｒｃｈｉｔｅｃｔｕｒｅ  ｅｖｏｌｖｅｄ）−Ｔｅｍｐｏｒａｒｙ  Ｍｏｂｉｌｅ  Ｓｕｂｓｃｒｉｂｅｒ  Ｉｄｅｎｔｉｔｙ）であってもよく、該ネットワーク構成パラメータはセルのページング周期におけるＰＯの数ｎＢであってもよい。
【００３９】
以下は、ＩＭＳＩ、Ｓ−ＴＭＳＩ及びｎＢを一例にして説明する。なお、本発明はこれに限定されず、他の識別情報又はパラメータであってもよく、例えばＳ−ＴＭＳＩはグローバルユニーク一時ユーザ装置識別子（ＧＵＴＩ：Ｇｌｏｂａｌ  Ｕｎｉｑｕｅ  Ｔｅｍｐｏｒａｒｙ  Ｕｓｅｒ  Ｅｑｕｉｐｍｅｎｔ  Ｉｄｅｎｔｉｔｙ）で置き換えられてもよい。また、ユーザ装置は、システムパラメータ（ＳＩ：Ｓｙｓｔｅｍ  Ｉｎｆｏｒｍａｔｉｏｎ）等を介してこれらの識別情報又はパラメータを取得してもよく、ＩＭＳＩ、Ｓ−ＴＭＳＩ及びｎＢ等の取得方法は従来技術を参照してもよい。
【００４０】
本実施例では、以下の式に従って第１グレードページンググループインデックスを計算してもよい。
【００４１】
ＵＥ＿ＩＤ＝ＩＭＳＩ  ｍｏｄ  １０２４
Ｐａｇｉｎｇ＿ＧｒｏｕｐＩＤ＝ＵＥ＿ＩＤ  ｄｉｖ  ｎＢ、又はＰａｇｉｎｇ＿ＧｒｏｕｐＩＤ＝ｆｌｏｏｒ（ＵＥ＿ＩＤ／ｎＢ）
ここで、Ｐａｇｉｎｇ＿ＧｒｏｕｐＩＤは該第１グレードページンググループインデックスであり、ＩＭＳＩは国際移動体加入者識別子であり、ｎＢは該ネットワーク構成パラメータであり、ｍｏｄはモジュロ演算を表し、ｄｉｖは除算演算を表し、ｆｌｏｏｒは床関数演算を表す。
【００４２】
また、以下の式に従って第２グレードページンググループインデックスを計算してもよい。
【００４３】
Ｓ−ＴＭＳＩ＿ＧｒｏｕｐＩＤ＝Ｓ−ＴＭＳＩ  ｍｏｄ  ２＾Ｍ
ここで、Ｓ−ＴＭＳＩ＿ＧｒｏｕｐＩＤは該第２グレードページンググループインデックスであり、Ｓ−ＴＭＳＩは該一時移動体加入者識別子であり、ＭはＳ−ＴＭＳＩグループ分けに用いられる所定のビット数であり、ｍｏｄはモジュロ演算を表す。
【００４４】
本実施例では、本発明の発明者が従来技術におけるＰＦ及びＰＯの計算式を考慮する際に、以下の法則を発見した。
【００４５】
・ページング周期全体において、合計ｎＢ個のＰＯがあり、各ＰＯには合計１０２４／ｎＢ個の異なるＵＥ＿ＩＤがある。
【００４６】
・各ＰＯ内の可能なＵＥ＿ＩＤ値の間の差はｎＢであり、即ちＰＯ内に出現可能なＵＥ＿ＩＤは｛ｉ，ｉ＋ｎＢ，ｉ＋２＊ｎＢ，ｉ＋３＊ｎＢ，ｉ＋４＊ｎＢ，…｝を含み、ｉ＝０，１，２，…ｎＢ−１。
【００４７】
一方、ユーザ装置のＩＭＳＩはネットワークにより割り当てられたものではないが、ユーザ装置のＳ−ＴＭＳＩはネットワークのＭＭＥによりアタッチ過程（ａｔｔａｃｈｍｅｎｔ  ｐｒｏｃｅｄｕｒｅ）においてＵＥに割り当てられたものである。このため、全てのユーザ装置がネットワークにより割り当てられたＭＭＥ内の特定のネットワーク識別子Ｓ−ＴＭＳＩを有すると見なされてもよい。ＭＭＥはユーザ装置のＳ−ＴＭＳＩを割り当てる際に、所定の特徴を追加し、同一のページンググループ内のユーザ装置の数が同一又は近似することを確保してもよい。
【００４８】
本実施例では、該指示情報はＰＤＣＣＨのＤＣＩに含まれてもよく、ユーザ装置はＰＤＣＣＨのＤＣＩを監視することで該指示情報を取得してもよい。或いは、該指示情報はシステム情報に含まれてもよく、ユーザ装置は基地局により送信されたシステム情報を受信することで該指示情報を取得してもよい。以下は、ＰＤＣＣＨ及びＰＤＳＣＨを一例にして説明するが、本発明はこれに限定されない。例えば、ＰＤＣＣＨは、ｅＰＤＣＣＨ、Ｍ−ＰＤＣＣＨ等で置き換えられてもよい。
【００４９】
図２は本発明の実施例のユーザ装置のページング方法を示す他の図である。図２に示すように、該方法は以下のステップを含む。
【００５０】
ステップ２０１：ユーザ装置は、該ユーザ装置の固有識別情報、又は該ユーザ装置の固有識別情報及びネットワーク構成パラメータに基づいて、該ユーザ装置の第１グレードページンググループインデックスを計算する。
【００５１】
この態様では、ＩＭＳＩにのみ基づいて第１グレードページンググループインデックスを計算してもよく、例えばＵＥ＿ＩＤ＝ＩＭＳＩ  ｍｏｄ  １０２４を第１グレードページンググループインデックスとしてもよい。或いは、ＩＭＳＩ及びｎＢに基づいて第１グレードページンググループインデックスを計算してもよく、例えばＰａｇｉｎｇ＿ＧｒｏｕｐＩＤ＝ＵＥ＿ＩＤ  ｄｉｖ  ｎＢ＝（ＩＭＳＩ  ｍｏｄ  １０２４）  ｄｉｖ  ｎＢを第１グレードページンググループインデックスとしてもよい。Ｐａｇｉｎｇ＿ＧｒｏｕｐＩＤの値範囲は｛０，１，２，３，…，１０２４／ｎＢ−１｝である。
【００５２】
ステップ２０２：ユーザ装置は、ＭＭＥにより該ユーザ装置のために割り当てられたネットワーク識別情報に基づいて、該ユーザ装置の第２グレードページンググループインデックスを計算する。
【００５３】
この態様では、Ｓ−ＴＭＳＩ＿ＧｒｏｕｐＩＤ＝Ｓ−ＴＭＳＩ  ｍｏｄ  ２＾Ｍを第２グレードページンググループインデックスとしてもよく、Ｓ−ＴＭＳＩの割り当てについて後述する実施例３を参照してもよい。
【００５４】
ステップ２０３：ユーザ装置は、基地局により送信された、ページンググループインデックスを示す指示情報を受信し、該ページンググループインデックスは第１グレードページンググループインデックス及び第２グレードページンググループインデックスを含む。
【００５５】
この態様では、ページングメッセージを示すＰＤＣＣＨのＤＣＩに以下の２つのフィールドを追加してもよく、該２つのフィールドは、ページングされたユーザ装置の所属する第１グレードページンググループのグループインデックス及び第２グレードページンググループのグループインデックスをそれぞれ示し、ユーザ装置のページンググループインデックスは２つのグレードのページンググループインデックスによって共同で決定される。
【００５６】
・Ｐａｇｉｎｇ＿ＧｒｏｕｐＩＤフィールド：このフィールドは、ページングされたユーザ装置の所属する第１グレードページンググループのグループインデックスを表し、該グループインデックスの計算は例えばユーザ装置のＩＭＳＩ及びネットワークにより構成されたｎＢパラメータに関連する。該フィールドのビット数は固定でもよいし、可変でもよいが、少なくともｌｏｇ２（１０２４／ｎＢ）ビットを含む必要がある。
【００５７】
・Ｓ−ＴＭＳＩ＿ＧｒｏｕｐＩＤフィールド：このフィールドは、ページングされたユーザ装置の所属する第２グレードページンググループのグループインデックスを表し、該グループインデックスの計算は例えばユーザ装置のＳ−ＴＭＳＩ（又はＧＵＴＩ）に関連する。該フィールドのビット数はＭである。
【００５８】
また、基地局はユーザ装置に周期情報をさらに送信してもよく、該周期情報は、ページングメッセージが受信された後の複数のページング周期内で自分のＰＯにおいてページングを監視する必要がないことを示す。例えば、ＰＤＣＣＨのＤＣＩは以下のフィールドをさらに含んでもよい。
【００５９】
・ＰＯ＿Ｓｋｉｐ＿Ｎｕｍｂｅｒフィールド：このフィールドは、ページングされたユーザ装置がページングメッセージを受信した後の連続的なＰＯ＿Ｓｋｉｐ＿Ｎｕｍｂｅｒ個のページング周期内でトラフィックの到達がなく、ユーザ装置がＰＯにおいてＰＤＣＣＨを監視する必要がないことを表す。
【００６０】
本実施例では、指示情報に含まれている第１グレードページンググループのグループインデックス及び第２グレードページンググループのグループインデックスは、基地局により算出されてもよいし、ＭＭＥにより算出されてもよく、具体的な内容は後述する実施例２、３を参照してもよい。
【００６１】
ステップ２０４：ユーザ装置は、該指示情報に含まれている情報と算出されたインデックスとが一致するか否かを判断し、即ち該指示情報に含まれている第１グレードページンググループインデックスとステップ２０１において算出された該第１グレードページンググループインデックスとが一致するか否かを決定し、該指示情報に含まれている第２グレードページンググループインデックスとステップ２０２において算出された該第２グレードページンググループインデックスとが一致するか否かを決定し、一致する場合は、ステップ２０５を実行し、そうでない場合は、対応するＰＤＳＣＨを復号しない。
【００６２】
この態様では、ユーザ装置は、ＰＤＣＣＨのＤＣＩにおけるＰａｇｉｎｇ＿ＧｒｏｕｐＩＤフィールド及びＳ−ＴＭＳＩ＿ＧｒｏｕｐＩＤフィールドを監視してもよく、この２つのフィールドにより示された２つのグレードのページンググループインデックスとユーザ装置により算出されたインデックス（即ちステップ２０１及びステップ２０２において算出されたインデックス）と全て同一である場合は、ＰＤＳＣＨに該ユーザ装置のページングメッセージが存在する可能性があることを意味し、ユーザ装置は、該ＰＤＳＣＨを復号して、ページングメッセージに自分のユーザ装置識別情報があるか否かを検査してもよい。一方、Ｐａｇｉｎｇ＿ＧｒｏｕｐＩＤフィールド及びＳ−ＴＭＳＩ＿ＧｒｏｕｐＩＤフィールドにおける少なくとも１つのグレードのページンググループインデックスとユーザ装置により算出されたインデックスとが異なる場合は、ユーザ装置はＰＤＳＣＨを復号しない。
【００６３】
ステップ２０５：ユーザ装置は、対応するＰＤＳＣＨを復号する。
【００６４】
ステップ２０６：ユーザ装置は、復号されたページングメッセージに該ユーザ装置の識別情報が含まれているか否かを判断し、ＹＥＳの場合は、ステップ２０７を実行し、そうでない場合は、該ユーザ装置がページングされていないと決定する。
【００６５】
ステップ２０７：ユーザ装置は、接続確立要求を開始する。
【００６６】
この態様では、ユーザ装置がページングメッセージを正常に受信し、且つＤＣＩ指示においてＰＯ＿Ｓｋｉｐ＿Ｎｕｍｂｅｒフィールドを読み取った場合は、ユーザ装置は、次のＰＯ＿Ｓｋｉｐ＿Ｎｕｍｂｅｒ個のページング周期内で自分のＰＯのＰＤＣＣＨを監視しなくてもよい。
【００６７】
なお、図１及び図２は単なる本発明の実施例を例示的に説明するためのものであり、本発明はこれに限定されない。各ステップの実行順序を適宜調整してもよく、他のステップを追加し、一部のステップを削除してもよい。
【００６８】
上記の実施例によれば、ユーザ装置の固有識別情報、又はユーザ装置の固有識別情報及びネットワーク構成パラメータに基づいて第１グレードページンググループをグループ分けし、ネットワークによりユーザ装置のために割り当てられたネットワーク識別情報に基づいて第２グレードページンググループをグループ分けすることで、異なるページンググループが同一又は近似の数のユーザ装置を有することができ、セル全体の「偽のページング」の確率を低減できる。また、ページング割り当てのグループ数パラメータはユーザ装置に知られているパラメータｎＢにより決定され、該パラメータを別途に構成するためのエアインタフェースシグナリング（ａｉｒ−ｉｎｔｅｒｆａｃｅ  ｓｉｇｎａｌｉｎｇ）を低減できる。
【００６９】
＜実施例２＞
本発明の実施例はユーザ装置のページング方法を提供し、実施例１を基礎にしてさらに説明し、実施例１と同様な内容についてその説明が省略される。
【００７０】
図３は本発明の実施例のユーザ装置のページング方法を示す図であり、基地局側から本発明を説明する。図３に示すように、該方法は以下のステップを含む。
【００７１】
ステップ３０１：基地局は、ユーザ装置にページンググループインデックスを示す指示情報を送信し、該ページンググループインデックスは第１グレードページンググループインデックス及び第２グレードページンググループインデックスを含む。
【００７２】
ここで、第１グレードページンググループインデックスは、ユーザ装置の固有識別情報、又はユーザ装置の固有識別情報及びネットワーク構成パラメータに基づいて取得され、第２グレードページンググループインデックスは、ＭＭＥによりユーザ装置のために割り当てられたネットワーク識別情報に基づいて取得される。
【００７３】
本実施例では、ユーザ装置の固有識別情報はＩＭＳＩであってもよく、ユーザ装置のネットワーク識別情報はＳ−ＴＭＳＩであってもよく、該ネットワーク構成パラメータはセルのページング周期におけるＰＯの数ｎＢであってもよいが、本発明はこれに限定されない。また、ＰＤＣＣＨのＤＣＩを介して該指示情報を送信してもよいし、システム情報を介して該指示情報を送信してもよい。
【００７４】
本実施例では、基地局はユーザ装置に周期情報をさらに送信してもよく、該周期情報は、ユーザ装置がページングメッセージを受信した後の複数のページング周期内で監視が必要でないことを示す。ここで、該周期情報は、該指示情報に含まれてもよく、例えばＰＤＣＣＨのＤＣＩにＰＯ＿Ｓｋｉｐ＿Ｎｕｍｂｅｒフィールドを追加してもよい。
【００７５】
１つの態様では、第１グレードページンググループインデックス及び第２グレードページンググループインデックスは、基地局により算出された後に、該第１グレードページンググループインデックス及び第２グレードページンググループインデックスを例えばＰＤＣＣＨのＤＣＩに含めてもよい。
【００７６】
図４は本発明の実施例のユーザ装置のページング方法を示す他の図であり、ユーザ装置側、基地局側及びＭＭＥ側から説明する。図４に示すように、該方法は以下のステップを含む。
【００７７】
ステップ４０１：ＭＭＥは、ユーザ装置のためにＳ−ＴＭＳＩを割り当てる。
【００７８】
ＭＭＥによるＳ−ＴＭＳＩの割り当て方法は実施例３を参照してもよい。
【００７９】
ステップ４０２：ＭＭＥは、Ｓ−ＴＭＳＩを基地局に送信する。
【００８０】
例えば、ネットワークアタッチ過程において基地局にＳ−ＴＭＳＩを送信してもよいが、本発明はこれに限定されず、関連する任意の方法を用いてもよい。
【００８１】
ステップ４０３：基地局は、ユーザ装置のＩＭＳＩ、又はＩＭＳＩ及びｎＢに基づいて該ユーザ装置の第１グレードページンググループインデックスを計算する。
【００８２】
この態様では、ＩＭＳＩにのみ基づいて第１グレードページンググループインデックスを計算してもよいし、ＩＭＳＩ及びｎＢに基づいて第１グレードページンググループインデックスを計算してもよく、例えばＰａｇｉｎｇ＿ＧｒｏｕｐＩＤ＝ＵＥ＿ＩＤ  ｄｉｖ  ｎＢ＝（ＩＭＳＩ  ｍｏｄ  １０２４）  ｄｉｖ  ｎＢを第１グレードページンググループインデックスとしてもよい。Ｐａｇｉｎｇ＿ＧｒｏｕｐＩＤの値範囲は｛０，１，２，３，…，１０２４／ｎＢ−１｝である。
【００８３】
ステップ４０４：基地局は、Ｓ−ＴＭＳＩに基づいて該ユーザ装置の第２グレードページンググループインデックスを計算する。
【００８４】
この態様では、Ｓ−ＴＭＳＩ＿ＧｒｏｕｐＩＤ＝Ｓ−ＴＭＳＩ  ｍｏｄ  ２＾Ｍを第２グレードページンググループインデックスとしてもよい。
【００８５】
ステップ４０５：基地局は、ユーザ装置に、ページンググループインデックスを示す指示情報を送信し、該ページンググループインデックスは第１グレードページンググループインデックス及び第２グレードページンググループインデックスを含む。
【００８６】
もう１つの態様では、第１グレードページンググループインデックス及び第２グレードページンググループインデックスは、ＭＭＥにより算出された後に基地局に送信されてもよく、基地局は、該第１グレードページンググループインデックス及び第２グレードページンググループインデックスを例えばＰＤＣＣＨのＤＣＩに含める。
【００８７】
図５は本発明の実施例２のユーザ装置のページング方法を示す他の図であり、ユーザ装置側、基地局側及びＭＭＥ側から説明する。図５に示すように、該方法は以下のステップを含む。
【００８８】
ステップ５０１：ＭＭＥは、ユーザ装置のためにＳ−ＴＭＳＩを割り当てる。
【００８９】
ＭＭＥによるＳ−ＴＭＳＩの割り当て方法は実施例３を参照してもよい。
【００９０】
ステップ５０２：ＭＭＥは、ユーザ装置のＩＭＳＩ、又はＩＭＳＩ及びｎＢに基づいて該ユーザ装置の第１グレードページンググループインデックスを計算する。
【００９１】
この態様では、ＩＭＳＩにのみ基づいて第１グレードページンググループインデックスを計算してもよいし、ＩＭＳＩ及びｎＢに基づいて第１グレードページンググループインデックスを計算してもよく、例えばＰａｇｉｎｇ＿ＧｒｏｕｐＩＤ＝ＵＥ＿ＩＤ  ｄｉｖ  ｎＢ＝（ＩＭＳＩ  ｍｏｄ  １０２４）  ｄｉｖ  ｎＢを第１グレードページンググループインデックスとしてもよい。Ｐａｇｉｎｇ＿ＧｒｏｕｐＩＤの値範囲は｛０，１，２，３，…，１０２４／ｎＢ−１｝である。
【００９２】
ステップ５０３：ＭＭＥは、Ｓ−ＴＭＳＩに基づいて該ユーザ装置の第２グレードページンググループインデックスを計算する。
【００９３】
この態様では、Ｓ−ＴＭＳＩ＿ＧｒｏｕｐＩＤ＝Ｓ−ＴＭＳＩ  ｍｏｄ  ２＾Ｍを第２グレードページンググループインデックスとしてもよい。
【００９４】
ステップ５０４：ＭＭＥは、第１グレードページンググループインデックス及び第２グレードページンググループインデックスを基地局に送信する。
【００９５】
ステップ５０５：基地局は、ユーザ装置に、ページンググループインデックスを示す指示情報を送信し、該ページンググループインデックスは第１グレードページンググループインデックス及び第２グレードページンググループインデックスを含む。
【００９６】
なお、図４及び図５は単なる本発明の実施例を例示的に説明するためのものであり、本発明はこれに限定されない。各ステップの実行順序を適宜調整してもよく、他のステップを追加し、一部のステップを削除してもよい。
【００９７】
上記の実施例によれば、ユーザ装置の固有識別情報、又はユーザ装置の固有識別情報及びネットワーク構成パラメータに基づいて第１グレードページンググループをグループ分けし、ネットワークによりユーザ装置のために割り当てられたネットワーク識別情報に基づいて第２グレードページンググループをグループ分けすることで、異なるページンググループが同一又は近似の数のユーザ装置を有することができ、セル全体の「偽のページング」の確率を低減できる。また、ページング割り当てのグループ数パラメータはユーザ装置に知られているパラメータｎＢにより決定され、該パラメータを別途に構成するためのエアインタフェースシグナリングを低減できる。
【００９８】
＜実施例３＞
本発明の実施例はユーザ装置のページング方法を提供し、実施例１及び２を基礎にしてさらに説明し、実施例１及び２と同様な内容についてその説明が省略される。
【００９９】
図６は本発明の実施例のユーザ装置のページング方法を示す図であり、ＭＭＥ側から本発明を説明する。図６に示すように、該方法は以下のステップを含む。
【０１００】
ステップ６０１：ＭＭＥは、該ＭＭＥにアタッチ（ａｔｔａｃｈ）されているユーザ装置のためにネットワーク識別情報を割り当てる。
【０１０１】
ここで、該ネットワーク識別情報は、同一の第１グレードページンググループに属する複数のユーザ装置を、異なる第２グレードページンググループ内に均一に分布させるものであり、該第１グレードページンググループは、複数のユーザ装置の固有識別情報、又は複数のユーザ装置の固有識別情報及びネットワーク構成パラメータに基づいて形成される。
【０１０２】
本実施例では、ユーザ装置の固有識別情報はＩＭＳＩであってもよく、ユーザ装置のネットワーク識別情報はＳ−ＴＭＳＩであってもよく、該ネットワーク構成パラメータはセルのページング周期におけるＰＯの数ｎＢであってもよいが、本発明はこれに限定されない。
【０１０３】
本実施例では、同一のＰＯ内の異なるページンググループ間のユーザ装置の数が同一又は近似することを確保するために、ＭＭＥがユーザ装置にＳ−ＴＭＳＩを割り当てる際に、同一の第１グレードページンググループに属する該ＭＭＥにアタッチされているユーザ装置が異なる第２グレードページンググループ内に均一に分布することを確保する必要がある。
【０１０４】
本実施例では、ＭＭＥがＳ−ＴＭＳＩを割り当てる際に、Ｓ−ＴＭＳＩの下位Ｍビットを制御してもよい。ＭＭＥは、２＾Ｌ個の変数Ｓ−ＴＭＳＩ＿ＧｒｏｕｐＩＤ［ｉ］を記憶し、ここで、ｉ＝０，１，２，３，…，２＾Ｌ−１となり、Ｌは所定値であり、これらの変数の初期値は全て０である。
【０１０５】
図７は本発明の実施例のＳ−ＴＭＳＩの割り当て方法を示す図であり、図７に示すように、ユーザ装置のためにＳ−ＴＭＳＩを割り当てる際に、ＭＭＥは以下のステップを行う。
【０１０６】
ステップ７０１：ＭＭＥは、ユーザ装置のＩＭＳＩにおけるＬビットを決定し、ここで、該Ｌビットにより構成された数値はｔｅｍｐであり、該ｔｅｍｐは変数Ｓ−ＴＭＳＩ＿Ｇｒｏｕｐ［ｔｅｍｐ］に対応する。
【０１０７】
ステップ７０２：ＭＭＥは、Ｓ−ＴＭＳＩ  ｍｏｄ  ２＾Ｍ＝Ｓ−ＴＭＳＩ＿Ｇｒｏｕｐ［ｔｅｍｐ］という条件を満たすＳ−ＴＭＳＩを生成する。ＭはＳ−ＴＭＳＩグループ分けに用いられる所定のビット数であり、ｍｏｄはモジュロ演算を表す。ここで、ＭＭＥは、上記条件を満たすＳ−ＴＭＳＩを取得するまで、Ｓ−ＴＭＳＩを連続的、且つランダムに生成してもよい。
【０１０８】
ステップ７０３：ＭＭＥは、該Ｓ−ＴＭＳＩをユーザ装置に割り当てる。
【０１０９】
ステップ７０４：ＭＭＥは、該Ｓ−ＴＭＳＩ＿Ｇｒｏｕｐ［ｔｅｍｐ］を更新する。
【０１１０】
例えば、Ｓ−ＴＭＳＩ＿Ｇｒｏｕｐ［ｔｅｍｐ］＝Ｓ−ＴＭＳＩ＿Ｇｒｏｕｐ［ｔｅｍｐ］＋１。Ｓ−ＴＭＳＩ＿Ｇｒｏｕｐ［ｔｅｍｐ］の更新後の値が２＾Ｍに等しくなると、該Ｓ−ＴＭＳＩ＿Ｇｒｏｕｐ［ｔｅｍｐ］を０にリセットしてもよい。
【０１１１】
本実施例では、ＩＭＳＩにおいて特定のＬ個のビットを選択する際に、このＬ個のビットはＩＭＳＩの全てのビットから連続的に選択してもよいし、不連続に選択してもよく、Ｌビットの位置はプロトコルにより規定されてもよい。
【０１１２】
１つの態様では、第１グレードページンググループが複数のユーザ装置の固有識別情報及びネットワーク構成パラメータに基づいて形成された場合、ＩＭＳＩにおける下位１０ビットを選択してもよい。
【０１１３】
ここで、ＵＥ＿ＩＤ＝ＩＭＳＩ  ｍｏｄ  ２＾Ｌとなる。
【０１１４】
Ｐａｇｉｎｇ＿ＧｒｏｕｐＩＤ＝ＵＥ＿ＩＤ  ｄｉｖ  ｎＢ、又はＰａｇｉｎｇ＿ＧｒｏｕｐＩＤ＝ｆｌｏｏｒ（ＵＥ＿ＩＤ／ｎＢ）となる。
【０１１５】
Ｐａｇｉｎｇ＿ＧｒｏｕｐＩＤは第１グレードページンググループインデックスであり、ＩＭＳＩは国際移動体加入者識別子であり、ｎＢは該ネットワーク構成パラメータであり、ｍｏｄはモジュロ演算を表し、ｄｉｖは除算演算を表し、ｆｌｏｏｒは床関数演算を表す。
【０１１６】
もう１つの態様では、第１グレードページンググループが複数のユーザ装置の固有識別情報に基づいて形成された場合、ＩＭＳＩにおける下位１０ビット及び低い順のｌｏｇ２Ｐ＋１番目のビットからｌｏｇ２（Ｇ＊Ｐ）番目のビットを選択してもよい。
【０１１７】
ここで、Ｐａｇｉｎｇ＿ＧｒｏｕｐＩＤ＝（ＩＭＳＩ  ｍｏｄ  Ｇ＊Ｐ）／Ｐとなる。
【０１１８】
Ｇ及びＰは所定値であり、且つＰ≧１０２４、Ｐａｇｉｎｇ＿ＧｒｏｕｐＩＤは第１グレードページンググループインデックスであり、ＩＭＳＩは国際移動体加入者識別子であり、ｍｏｄはモジュロ演算を表す。
【０１１９】
例えば、Ｇ＝４、Ｐ＝２０４８となると、Ｐａｇｉｎｇ＿ＧｒｏｕｐＩＤ＝（ＩＭＳＩ  ｍｏｄ  ４＊２０４８）／２０４８となり、ＩＭＳＩにおける下位１０ビット、並びに低い順の１２番目及び１３番目のビットを選択し、即ちＩＭＳＩから合計１２個のビット（Ｌ＝１２）を選択する。
【０１２０】
これによって、ＭＭＥはユーザ装置のＳ−ＴＭＳＩを割り当てる際に、所定の特徴を追加し、同一のページンググループ内のユーザ装置の数が同一又は近似することを確保してもよい。
【０１２１】
１つの態様では、ＭＭＥは、Ｓ−ＴＭＳＩを基地局に送信してもよく、第１グレードページンググループインデックス及び第２グレードページンググループインデックスは、基地局により算出された後に、基地局により該第１グレードページンググループインデックス及び第２グレードページンググループインデックスを例えばＰＤＣＣＨのＤＣＩに含めてもよい。
【０１２２】
もう１つの態様では、第１グレードページンググループインデックス及び第２グレードページンググループインデックスはＭＭＥにより算出された後に基地局に送信されてもよく、基地局は該第１グレードページンググループインデックス及び第２グレードページンググループインデックスを例えばＰＤＣＣＨのＤＣＩに含める。第１グレードページンググループインデックス及び第２グレードページンググループインデックスの計算方法は実施例１及び２を参照してもよい。
【０１２３】
上記の実施例によれば、ＭＭＥがネットワーク識別情報を割り当てる際にネットワーク識別情報の下位Ｍビットを制御し、ユーザ装置の固有識別情報、又はユーザ装置の固有識別情報及びネットワーク構成パラメータに基づいて第１グレードページンググループをグループ分けし、ネットワークによりユーザ装置のために割り当てられたネットワーク識別情報に基づいて第２グレードページンググループをグループ分けすることで、異なるページンググループが同一又は近似の数のユーザ装置を有することができ、セル全体の「偽のページング」の確率を低減できる。また、ページング割り当てのグループ数パラメータはユーザ装置に知られているパラメータｎＢにより決定され、該パラメータを別途に構成するためのエアインタフェースシグナリングを低減できる。
【０１２４】
＜実施例４＞
本発明の実施例は、ユーザ装置に配置されたユーザ装置のページング装置を提供する。本発明の実施例は実施例１に対応し、実施例１と同様な内容についてその説明が省略される。
【０１２５】
図８は本発明の実施例のユーザ装置のページング装置を示す図である。図８に示すように、ユーザ装置のページング装置８００は、第１計算部８０１、第２計算部８０２、情報受信部８０３、情報決定部８０４及び情報復号部８０５を含む。
【０１２６】
第１計算部８０１は、ユーザ装置の固有識別情報、又はユーザ装置の固有識別情報及びネットワーク構成パラメータに基づいて、該ユーザ装置の第１グレードページンググループインデックスを計算する。
【０１２７】
第２計算部８０２は、ＭＭＥにより該ユーザ装置のために割り当てられたネットワーク識別情報に基づいて、該ユーザ装置の第２グレードページンググループインデックスを計算する。
【０１２８】
情報受信部８０３は、基地局により送信された、ページンググループインデックスを示す指示情報を受信し、該ページンググループインデックスは第１グレードページンググループインデックス及び第２グレードページンググループインデックスを含む。
【０１２９】
情報決定部８０４は、指示情報に含まれている第１グレードページンググループインデックスと第１計算部８０１により算出された第１グレードページンググループインデックスとが一致するか否かを決定し、指示情報に含まれている第２グレードページンググループインデックスと第２計算部８０２により算出された第２グレードページンググループインデックスとが一致するか否かを決定する。
【０１３０】
情報復号部８０５は、指示情報に含まれている第１グレードページンググループインデックスと第１計算部８０１により算出された第１グレードページンググループインデックスとが一致し、且つ指示情報に含まれている第２グレードページンググループインデックスと第２計算部８０２により算出された第２グレードページンググループインデックスとが一致する場合、基地局により送信されたダウンリンクデータチャネルを復号し、該ユーザ装置がページングされたか否かを決定する。
【０１３１】
本実施例では、ユーザ装置の固有識別情報はＩＭＳＩであってもよく、ユーザ装置のネットワーク識別情報はＳ−ＴＭＳＩであってもよく、該ネットワーク構成パラメータはセルのページング周期におけるＰＯの数ｎＢであってもよい。
【０１３２】
本実施例では、第１計算部８０１は、以下の式に従って第１グレードページンググループインデックスを計算してもよい。
【０１３３】
ＵＥ＿ＩＤ＝ＩＭＳＩ  ｍｏｄ  １０２４
Ｐａｇｉｎｇ＿ＧｒｏｕｐＩＤ＝ＵＥ＿ＩＤ  ｄｉｖ  ｎＢ、又はＰａｇｉｎｇ＿ＧｒｏｕｐＩＤ＝ｆｌｏｏｒ（ＵＥ＿ＩＤ／ｎＢ）
ここで、Ｐａｇｉｎｇ＿ＧｒｏｕｐＩＤは第１グレードページンググループインデックスであり、ＩＭＳＩは国際移動体加入者識別子であり、ｎＢはネットワーク構成パラメータであり、ｍｏｄはモジュロ演算を表し、ｄｉｖは除算演算を表し、ｆｌｏｏｒは床関数演算を表す。
【０１３４】
本実施例では、第２計算部８０２は、以下の式に従って第２グレードページンググループインデックスを計算してもよい。
【０１３５】
Ｓ−ＴＭＳＩ＿ＧｒｏｕｐＩＤ＝Ｓ−ＴＭＳＩ  ｍｏｄ  ２＾Ｍ
ここで、Ｓ−ＴＭＳＩ＿ＧｒｏｕｐＩＤは第２グレードページンググループインデックスであり、Ｓ−ＴＭＳＩは一時移動体加入者識別子であり、ＭはＳ−ＴＭＳＩグループ分けに用いられる所定のビット数であり、ｍｏｄはモジュロ演算を表す。
【０１３６】
本実施例では、情報受信部８０３は、ＰＤＣＣＨのＤＣＩを監視することで該指示情報を取得し、或いは基地局により送信されたシステム情報を受信することで該指示情報を取得してもよい。該ダウンリンクデータチャネルは、ＰＤＳＣＨであってもよい。
【０１３７】
本実施例では、情報受信部８０３は、基地局により送信された周期情報をさらに受信してもよく、該周期情報は、ページングメッセージが受信された後の複数のページング周期内で監視が必要でないことを示す。
【０１３８】
本発明の実施例は、上記ユーザ装置のページング装置８００が配置されたユーザ装置をさらに提供する。
【０１３９】
図９は本発明の実施例のユーザ装置を示す図である。図９に示すように、ユーザ装置９００は、中央処理装置１００及び記憶装置１４０を含んでもよく、記憶装置１４０は中央処理装置１０に接続される。なお、該図は単なる例示的なものであり、電気通信機能又は他の機能を実現するように、他の種類の構成を用いて、該構成を補充又は代替してもよい。
【０１４０】
１つの態様では、ユーザ装置のページング装置８００の機能は中央処理装置１００に統合されてもよい。ここで、中央処理装置１００は、実施例１に記載のユーザ装置のページング方法を実現するように構成されてもよい。
【０１４１】
例えば、中央処理装置１００は、ユーザ装置の固有識別情報、又はユーザ装置の固有識別情報及びネットワーク構成パラメータに基づいて、ユーザ装置の第１グレードページンググループインデックスを計算し、ＭＭＥによりユーザ装置のために割り当てられたネットワーク識別情報に基づいて、ユーザ装置の第２グレードページンググループインデックスを計算し、基地局により送信された、ページンググループインデックスを示す指示情報を受信し、該ページンググループインデックスは第１グレードページンググループインデックス及び第２グレードページンググループインデックスを含み、指示情報に含まれている第１グレードページンググループインデックスと算出された第１グレードページンググループインデックスとが一致するか否かを決定し、指示情報に含まれている第２グレードページンググループインデックスと算出された第２グレードページンググループインデックスとが一致するか否かを決定し、指示情報に含まれている第１グレードページンググループインデックスと算出された第１グレードページンググループインデックスとが一致し、且つ指示情報に含まれている第２グレードページンググループインデックスと算出された第２グレードページンググループインデックスとが一致する場合、基地局により送信されたダウンリンクデータチャネルを復号し、ユーザ装置がページングされたか否かを決定するように構成されてもよい。
【０１４２】
もう１つの態様では、ユーザ装置のページング装置８００は中央処理装置１００とそれぞれ構成されてもよく、例えばユーザ装置のページング装置８００は中央処理装置１００に接続されたチップであり、中央処理装置１００の制御によりユーザ装置のページング装置８００の機能を実現してもよい。
【０１４３】
図９に示すように、ユーザ装置９００は、通信モジュール１１０、入力部１２０、音声処理装置１３０、記憶装置１４０、カメラ１５０、ディスプレイ１６０、及び電源１７０をさらに含んでもよい。ここで、上記構成部の機能は従来技術と類似するため、ここでその説明が省略される。なお、ユーザ装置９００は図９に示す全てのユニットを含む必要がない。また、ユーザ装置９００は、図９に示されていないユニットをさらに含んでもよく、従来技術を参照してもよい。
【０１４４】
上記の実施例によれば、ユーザ装置の固有識別情報、又はユーザ装置の固有識別情報及びネットワーク構成パラメータに基づいて第１グレードページンググループをグループ分けし、ネットワークによりユーザ装置のために割り当てられたネットワーク識別情報に基づいて第２グレードページンググループをグループ分けすることで、異なるページンググループが同一又は近似の数のユーザ装置を有することができ、セル全体の「偽のページング」の確率を低減できる。また、ページング割り当てのグループ数パラメータはユーザ装置に知られているパラメータｎＢにより決定され、該パラメータを別途に構成するためのエアインタフェースシグナリングを低減できる。
【０１４５】
＜実施例５＞
本発明の実施例は、基地局に配置されたユーザ装置のページング装置を提供する。本発明の実施例は実施例２に対応し、実施例１及び２と同様な内容についてその説明が省略される。
【０１４６】
図１０は本発明の実施例のユーザ装置のページング装置を示す図である。図１０に示すように、ユーザ装置のページング装置１０００は情報送信部１００１を含む。
【０１４７】
情報送信部１００１は、ページンググループインデックスを示す指示情報を送信する。該ページンググループインデックスは第１グレードページンググループインデックス及び第２グレードページンググループインデックスを含む。
【０１４８】
ここで、該第１グレードページンググループインデックスは、ユーザ装置の固有識別情報、又はユーザ装置の固有識別情報及びネットワーク構成パラメータに基づいて取得され、第２グレードページンググループインデックスは、ＭＭＥによりユーザ装置のために割り当てられたネットワーク識別情報に基づいて取得される。
【０１４９】
本実施例では、ユーザ装置の固有識別情報はＩＭＳＩであってもよく、ユーザ装置のネットワーク識別情報はＳ−ＴＭＳＩであってもよく、ネットワーク構成パラメータはセルのページング周期におけるＰＯの数ｎＢであってもよい。
【０１５０】
１つの態様では、第１グレードページンググループインデックス及び第２グレードページンググループインデックスは基地局により算出された後に、該第１グレードページンググループインデックス及び第２グレードページンググループインデックスを例えばＰＤＣＨのＤＣＩに含めてもよい。
【０１５１】
図１１は本発明の実施例のユーザ装置のページング装置を示す他の図である。図１１に示すように、ユーザ装置のページング装置１１００は、上述したように、情報送信部１００１を含む。
【０１５２】
図１１に示すように、ユーザ装置のページング装置１１００は、識別情報受信部１１０１、第３計算部１１０２及び第４計算部１１０３をさらに含んでもよい。
【０１５３】
識別情報受信部１１０１は、ＭＭＥにより送信されたネットワーク識別情報を受信する。
【０１５４】
第３計算部１１０２は、ユーザ装置の固有識別情報、又はユーザ装置の固有識別情報及びネットワーク構成パラメータに基づいて、ユーザ装置の第１グレードページンググループインデックスを計算する。
【０１５５】
第４計算部１１０３は、ネットワーク識別情報に基づいて、ユーザ装置の第２グレードページンググループインデックスを計算する。
【０１５６】
もう１つの態様では、第１グレードページンググループインデックス及び第２グレードページンググループインデックスはＭＭＥにより算出された後に基地局に送信され、基地局は該第１グレードページンググループインデックス及び第２グレードページンググループインデックスを例えばＰＤＣＣＨのＤＣＩに含めてもよい。
【０１５７】
図１２は本発明の実施例のユーザ装置のページング装置を示す他の図である。図１２に示すように、ユーザ装置のページング装置１２００は、上述したように、情報送信部１００１を含む。
【０１５８】
図１２に示すように、ユーザ装置のページング装置１２００は、インデックス受信部１２０１をさらに含んでもよい。
【０１５９】
インデックス受信部１２０１は、ＭＭＥにより送信された第１グレードページンググループインデックス及び第２グレードページンググループインデックスを受信する。
【０１６０】
本実施例では、情報送信部１００１は、周期情報をさらに送信してもよく、該周期情報は、ユーザ装置がページングメッセージを受信した後の複数のページング周期内で監視が必要でないことを示す。
【０１６１】
本発明の実施例は、上記ユーザ装置のページング装置１０００、１１００又は１２００が配置された基地局をさらに提供する。
【０１６２】
図１３は本発明の実施例の基地局を示す図である。図１３に示すように、基地局１３００は、中央処理装置（ＣＰＵ）２００及び記憶装置２１０を含んでもよく、記憶装置２１０は中央処理装置２００に接続される。記憶装置２１０は、各種のデータを記憶してもよいし、情報処理のプログラムをさらに記憶してもよい。中央処理装置２００の制御で該プログラムが実行される。
【０１６３】
ここで、基地局１３００は実施例２に記載のユーザ装置のページング方法を実現してもよい。中央処理装置２００は、ユーザ装置のページング装置１０００、１１００又は１２００の機能を実現するように構成されてもよい。
【０１６４】
例えば、中央処理装置２００は、ページンググループインデックスを示す指示情報を送信し、該ページンググループインデックスは第１グレードページンググループインデックス及び第２グレードページンググループインデックスを含み、第１グレードページンググループインデックスは、ユーザ装置の固有識別情報、又はユーザ装置の固有識別情報及びネットワーク構成パラメータに基づいて取得され、第２グレードページンググループインデックスは、ＭＭＥによりユーザ装置のために割り当てられたネットワーク識別情報に基づいて取得されるように構成されてもよい。
【０１６５】
また、図１３に示すように、基地局１３００は、送受信機２２０及びアンテナ２３０等をさらに含んでもよい。ここで、上記部材の機能は従来技術と類似し、ここでその説明を省略する。なお、基地局１３００は図１３に示す全てのユニットを含む必要がない。また、基地局１３００は、図１３に示されていないユニットをさらに含んでもよく、従来技術を参照してもよい。
【０１６６】
上記の実施例によれば、ユーザ装置の固有識別情報、又はユーザ装置の固有識別情報及びネットワーク構成パラメータに基づいて第１グレードページンググループをグループ分けし、ネットワークによりユーザ装置のために割り当てられたネットワーク識別情報に基づいて第２グレードページンググループをグループ分けすることで、異なるページンググループが同一又は近似の数のユーザ装置を有することができ、セル全体の「偽のページング」の確率を低減できる。また、ページング割り当てのグループ数パラメータはユーザ装置に知られているパラメータｎＢにより決定され、該パラメータを別途に構成するためのエアインタフェースシグナリングを低減できる。
【０１６７】
＜実施例６＞
本発明の実施例は、ＭＭＥに配置されたユーザ装置のページング装置を提供する。本発明の実施例は実施例３に対応し、実施例１乃至３と同様な内容についてその説明が省略される。
【０１６８】
図１４は本発明の実施例のユーザ装置のページング装置を示す図である。図１４に示すように、ユーザ装置のページング装置１４００は、識別情報割り当て部１４０１を含む。
【０１６９】
識別情報割り当て部１４０１は、該ＭＭＥにアタッチされているユーザ装置のためにネットワーク識別情報を割り当てる。
【０１７０】
ここで、該ネットワーク識別情報は、同一の第１グレードページンググループに属する複数のユーザ装置を、異なる第２グレードページンググループ内に均一に分布させるものであり、該第１グレードページンググループは、複数のユーザ装置の固有識別情報、又は複数のユーザ装置の固有識別情報及びネットワーク構成パラメータに基づいて形成される。
【０１７１】
本実施例では、ユーザ装置の固有識別情報はＩＭＳＩであってもよく、ユーザ装置のネットワーク識別情報はＳ−ＴＭＳＩであってもよく、ネットワーク構成パラメータはセルのページング周期におけるＰＯの数ｎＢであってもよい。
【０１７２】
１つの態様では、第１グレードページンググループインデックス及び第２グレードページンググループインデックスは、基地局により算出され、該第１グレードページンググループインデックス及び第２グレードページンググループインデックスを例えばＰＤＣＣＨのＤＣＩに含めてもよい。
【０１７３】
図１５は本発明の実施例のユーザ装置のページング装置を示す他の図である。図１５に示すように、ユーザ装置のページング装置１５００は、上述したように、識別情報割り当て部１４０１を含む。
【０１７４】
図１５に示すように、ユーザ装置のページング装置１５００は、識別情報送信部１５０１をさらに含んでもよい。
【０１７５】
識別情報送信部１５０１は、ユーザ装置のために割り当てられたネットワーク識別情報を基地局に送信する。
【０１７６】
もう１つの態様では、第１グレードページンググループインデックス及び第２グレードページンググループインデックスは、ＭＭＥにより算出された後に基地局に送信され、基地局は該第１グレードページンググループインデックス及び第２グレードページンググループインデックスを例えばＰＤＣＣＨのＤＣＩに含めてもよい。
【０１７７】
図１６は本発明の実施例のユーザ装置のページング装置を示す他の図である。図１６に示すように、ユーザ装置のページング装置１６００は、上述したように、識別情報割り当て部１４０１を含む。
【０１７８】
図１６に示すように、ユーザ装置のページング装置１６００は、第５計算部１６０１、第６計算部１６０２及びインデックス送信部１６０３をさらに含んでもよい。
【０１７９】
第５計算部１６０１は、ユーザ装置の固有識別情報、又はユーザ装置の固有識別情報及びネットワーク構成パラメータに基づいて、ユーザ装置の第１グレードページンググループインデックスを計算する。
【０１８０】
第６計算部１６０２は、ネットワーク識別情報に基づいて、ユーザ装置の第２グレードページンググループインデックスを計算する。
【０１８１】
インデックス送信部１６０３は、第１グレードページンググループインデックス及び第２グレードページンググループインデックスを基地局に送信する。
【０１８２】
図１７は本発明の実施例の識別情報割り当て部を示す図である。図１７に示すように、識別情報割り当て部１４０１は、ビット決定部１７０１、識別情報生成部１７０２、識別情報決定部１７０３及び変数更新部１７０４を含んでもよい。
【０１８３】
ビット決定部１７０１は、ユーザ装置のＩＭＳＩにおけるＬビットを決定する。ここで、該Ｌビットにより構成された数値はｔｅｍｐであり、該ｔｅｍｐは変数Ｓ−ＴＭＳＩ＿Ｇｒｏｕｐ［ｔｅｍｐ］に対応し、Ｌは所定値である。
【０１８４】
識別情報生成部１７０２は、Ｓ−ＴＭＳＩ  ｍｏｄ  ２＾Ｍ＝Ｓ−ＴＭＳＩ＿Ｇｒｏｕｐ［ｔｅｍｐ］という条件を満たすＳ−ＴＭＳＩを生成する。ここで、ＭはＳ−ＴＭＳＩグループ分けに用いられる所定のビット数であり、ｍｏｄはモジュロ演算を表す。
【０１８５】
識別情報決定部１７０３は、該Ｓ−ＴＭＳＩをユーザ装置に割り当てる。
【０１８６】
変数更新部１７０４は、Ｓ−ＴＭＳＩ＿Ｇｒｏｕｐ［ｔｅｍｐ］を更新し、例えば１を加算する。
【０１８７】
図１７に示すように、識別情報割り当て部１４０１は、変数記憶部１７０５及び初期化部１７０６をさらに含んでもよい。
【０１８８】
変数記憶部１７０５は、２＾Ｌ個の変数Ｓ−ＴＭＳＩ＿ＧｒｏｕｐＩＤ［ｉ］を記憶する。ここで、ｉ＝０，１，２，３，…，２＾Ｌ−１となる。
【０１８９】
初期化部１７０６は、Ｓ−ＴＭＳＩ＿ＧｒｏｕｐＩＤ［ｉ］を初期化し、例えば全て０に初期化し、変数更新部１７０４により更新されたＳ−ＴＭＳＩ＿Ｇｒｏｕｐ［ｔｅｍｐ］の値が２＾Ｍに等しくなる場合、前記Ｓ−ＴＭＳＩ＿Ｇｒｏｕｐ［ｔｅｍｐ］をリセットし、例えば０にリセットする。
【０１９０】
１つの態様では、ビット決定部１７０１は、第１グレードページンググループが複数のユーザ装置の固有識別情報及びネットワーク構成パラメータに基づいて形成された場合、ＩＭＳＩにおける下位１０ビットを選択し、ここで、ＵＥ＿ＩＤ＝ＩＭＳＩ  ｍｏｄ  １０２４となり、Ｐａｇｉｎｇ＿ＧｒｏｕｐＩＤ＝ＵＥ＿ＩＤ  ｄｉｖ  ｎＢ、又はＰａｇｉｎｇ＿ＧｒｏｕｐＩＤ＝ｆｌｏｏｒ（ＵＥ＿ＩＤ／ｎＢ）となり、Ｐａｇｉｎｇ＿ＧｒｏｕｐＩＤは第１グレードページンググループインデックスであり、ＩＭＳＩは国際移動体加入者識別子であり、ｎＢは該ネットワーク構成パラメータであり、ｍｏｄはモジュロ演算を表し、ｄｉｖは除算演算を表し、ｆｌｏｏｒは床関数演算を表す。
【０１９１】
もう１つの態様では、ビット決定部１７０１は、第１グレードページンググループが複数のユーザ装置の固有識別情報に基づいて形成された場合、ＩＭＳＩにおける下位１０ビット及び低い順のｌｏｇ２Ｐ＋１番目のビットからｌｏｇ２（Ｇ＊Ｐ）番目のビットを選択し、ここで、Ｐａｇｉｎｇ＿ＧｒｏｕｐＩＤ＝（ＩＭＳＩ  ｍｏｄ  Ｇ＊Ｐ）／Ｐとなり、Ｇ及びＰは所定値であり、且つＰ≧１０２４、Ｐａｇｉｎｇ＿ＧｒｏｕｐＩＤは第１グレードページンググループインデックスであり、ＩＭＳＩは国際移動体加入者識別子であり、ｍｏｄはモジュロ演算を表す。
【０１９２】
本発明の実施例は、上記ユーザ装置のページング装置１４００、１５００又は１６００が配置されたＭＭＥをさらに提供する。
【０１９３】
図１８は本発明の実施例のＭＭＥを示す図である。図１８に示すように、ＭＭＥ１８００は、中央処理装置（ＣＰＵ）３００及び記憶装置３１０を含んでもよく、記憶装置３１０は中央処理装置３００に接続される。記憶装置３１０は、各種のデータを記憶してもよいし、情報処理のプログラムをさらに記憶してもよい。中央処理装置３００の制御で該プログラムが実行される。
【０１９４】
ここで、ＭＭＥ１８００は実施例３に記載のユーザ装置のページング方法を実現してもよい。中央処理装置３００は、ユーザ装置のページング装置１４００、１５００又は１６００の機能を実現するように構成されてもよい。
【０１９５】
例えば、中央処理装置３００は、ＭＭＥにアタッチされているユーザ装置のためにネットワーク識別情報を割り当て、該ネットワーク識別情報は、同一の第１グレードページンググループに属する複数のユーザ装置を、異なる第２グレードページンググループ内に均一に分布させるものであり、第１グレードページンググループは、複数のユーザ装置の固有識別情報、又は複数のユーザ装置の固有識別情報及びネットワーク構成パラメータに基づいて形成されるように構成されてもよい。
【０１９６】
また、図１８に示すように、ＭＭＥ１８００は、入力／出力インタフェース３２０等をさらに含んでもよい。ここで、上記部材の機能は従来技術と類似し、ここでその説明を省略する。なお、ＭＭＥ１８００は図１８に示す全てのユニットを含む必要がない。また、ＭＭＥ１８００は、図１８に示されていないユニットをさらに含んでもよく、従来技術を参照してもよい。
【０１９７】
上記の実施例によれば、ＭＭＥがネットワーク識別情報を割り当てる際にネットワーク識別情報の下位Ｍビットを制御し、ユーザ装置の固有識別情報、又はユーザ装置の固有識別情報及びネットワーク構成パラメータに基づいて第１グレードページンググループをグループ分けし、ネットワークによりユーザ装置のために割り当てられたネットワーク識別情報に基づいて第２グレードページンググループをグループ分けすることで、異なるページンググループが同一又は近似の数のユーザ装置を有することができ、セル全体の「偽のページング」の確率を低減できる。また、ページング割り当てのグループ数パラメータはユーザ装置に知られているパラメータｎＢにより決定され、該パラメータを別途に構成するためのエアインタフェースシグナリングを低減できる。
【０１９８】
＜実施例７＞
本発明の実施例は通信システムをさらに提供し、実施例１乃至６と同様な内容について説明が省略される。
【０１９９】
図１９は本発明の実施例の通信システムを示す図である。図１９に示すように、通信システム１９００は、ユーザ装置１９０１、基地局１９０２及びＭＭＥ１９０３を含む。
【０２００】
ここで、ユーザ装置１９０１は実施例４に記載のものであり、基地局１９０２は実施例５に記載のものであり、ＭＭＥ１９０３は実施例６に記載のものである。
【０２０１】
本発明の実施例は、ユーザ装置においてプログラムを実行する際に、コンピュータに、実施例１に記載のユーザ装置のページング方法を該ユーザ装置において実行させる、コンピュータ読み取り可能なプログラムをさらに提供する。
【０２０２】
本発明の実施例は、コンピュータに、実施例１に記載のユーザ装置のページング方法をユーザ装置において実行させるためのコンピュータ読み取り可能なプログラムを記憶する、記憶媒体をさらに提供する。
【０２０３】
本発明の実施例は、基地局においてプログラムを実行する際に、コンピュータに、実施例２に記載のユーザ装置のページング方法を該基地局において実行させる、コンピュータ読み取り可能なプログラムをさらに提供する。
【０２０４】
本発明の実施例は、コンピュータに、実施例２に記載のユーザ装置のページング方法を基地局において実行させるためのコンピュータ読み取り可能なプログラムを記憶する、記憶媒体をさらに提供する。
【０２０５】
本発明の実施例は、ＭＭＥにおいてプログラムを実行する際に、コンピュータに、実施例３に記載のユーザ装置のページング方法を該ＭＭＥにおいて実行させる、コンピュータ読み取り可能なプログラムをさらに提供する。
【０２０６】
本発明の実施例は、コンピュータに、実施例３に記載のユーザ装置のページング方法をＭＭＥにおいて実行させるためのコンピュータ読み取り可能なプログラムを記憶する、記憶媒体をさらに提供する。
【０２０７】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０２０８】
一つ以上の機能ブロックおよび/または添付の図面内の機能ブロックの一つ以上の組合せは、汎用プロセッサ、デジタル信号プロセッサ（ＤＳＰ）、特定用途向け集積回路（ＡＳＩＣ）、フィールド・プログラマブル・ゲートとして実現されてもよいアレイ（ＦＰＧＡ）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、ＤＳＰとマイクロプロセッサの組み合わせとして、コンピューティング機器の組み合わせとして通信ＤＳＰと組み合わせて、または任意の他のそのような構成における1つまたは複数のマイクロプロセッサ、複数のプロセッサを実現することができる。
【０２０９】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2019503127.tif 000003
【図２】
2019503127.tif 000004
【図３】
2019503127.tif 000005
【図４】
2019503127.tif 000006
【図５】
2019503127.tif 000007
【図６】
2019503127.tif 000008
【図７】
2019503127.tif 000009
【図８】
2019503127.tif 000010
【図９】
2019503127.tif 000011
【図１０】
2019503127.tif 000012
【図１１】
2019503127.tif 000013
【図１２】
2019503127.tif 000014
【図１３】
2019503127.tif 000015
【図１４】
2019503127.tif 000016
【図１５】
2019503127.tif 000017
【図１６】
2019503127.tif 000018
【図１７】
2019503127.tif 000019
【図１８】
2019503127.tif 000020
【図１９】
2019503127.tif 000021
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
ユーザ装置に配置された、ユーザ装置をページングする装置であって、
前記ユーザ装置の固有識別情報、又は前記ユーザ装置の固有識別情報及びネットワーク構成パラメータに基づいて、前記ユーザ装置の第１グレードページンググループインデックスを計算する第１計算手段、を含み、
前記第１グレードページンググループインデックスは、前記ユーザ装置がページングメッセージを受信するための狭帯域又はキャリアを決定するために用いられる、装置。
【請求項２】
ＭＭＥ（モビリティ管理エンティティ）により前記ユーザ装置のために割り当てられたネットワーク識別情報に基づいて、前記ユーザ装置の第２グレードページンググループインデックスを計算する第２計算手段と、
基地局により送信された、ページンググループインデックスを示す指示情報を受信する情報受信手段であって、前記ページンググループインデックスは第１グレードページンググループインデックス及び第２グレードページンググループインデックスを含む、情報受信手段と、
前記指示情報に含まれている前記第１グレードページンググループインデックスと前記第１計算手段により算出された前記第１グレードページンググループインデックスとが一致するか否かを決定し、前記指示情報に含まれている前記第２グレードページンググループインデックスと前記第２計算手段により算出された前記第２グレードページンググループインデックスとが一致するか否かを決定する情報決定手段と、
前記指示情報に含まれている前記第１グレードページンググループインデックスと前記第１計算手段により算出された前記第１グレードページンググループインデックスとが一致し、且つ前記指示情報に含まれている前記第２グレードページンググループインデックスと前記第２計算手段により算出された前記第２グレードページンググループインデックスとが一致する場合、前記基地局により送信されたダウンリンクデータチャネルを復号し、前記ユーザ装置がページングされたか否かを決定する情報復号手段と、をさらに含む、請求項１に記載の装置。
【請求項３】
前記ユーザ装置の固有識別情報は国際移動体加入者識別子であり、前記ネットワーク識別情報は一時移動体加入者識別子であり、前記ネットワーク構成パラメータはセルのページング周期におけるページングオケージョンの数ｎＢである、請求項１に記載の装置。
【請求項４】
前記第１計算手段は、以下の式に従って前記第１グレードページンググループインデックスを計算し、
Ｐａｇｉｎｇ＿ＧｒｏｕｐＩＤ＝ＵＥ＿ＩＤ  ｄｉｖ  ｎＢ、又はＰａｇｉｎｇ＿ＧｒｏｕｐＩＤ＝ｆｌｏｏｒ（ＵＥ＿ＩＤ／ｎＢ）
ここで、Ｐａｇｉｎｇ＿ＧｒｏｕｐＩＤは前記第１グレードページンググループインデックスであり、ＩＭＳＩは国際移動体加入者識別子であり、ｎＢは前記ネットワーク構成パラメータであり、ｍｏｄはモジュロ演算を表し、ｄｉｖは除算演算を表し、ｆｌｏｏｒは床関数演算を表す、請求項２に記載の装置。
【請求項５】
前記第２計算手段は、以下の式に従って前記第２グレードページンググループインデックスを計算し、
Ｓ−ＴＭＳＩ＿ＧｒｏｕｐＩＤ＝Ｓ−ＴＭＳＩ  ｍｏｄ  ２＾Ｍ
ここで、Ｓ−ＴＭＳＩ＿ＧｒｏｕｐＩＤは前記第２グレードページンググループインデックスであり、Ｓ−ＴＭＳＩは一時移動体加入者識別子であり、ＭはＳ−ＴＭＳＩグループ分けに用いられる所定のビット数であり、ｍｏｄはモジュロ演算を表す、請求項２に記載の装置。
【請求項６】
前記情報受信手段は、物理ダウンリンク制御チャネルのダウンリンク制御情報を監視することで前記指示情報を取得し、或いは前記基地局により送信されたシステム情報を受信することで前記指示情報を取得し、
前記ダウンリンクデータチャネルは、物理ダウンリンク共有チャネルである、請求項２に記載の装置。
【請求項７】
前記情報受信手段は、前記基地局により送信された周期情報をさらに受信し、
前記周期情報は、ページングメッセージが受信された後の複数のページング周期内で監視が必要でないことを示す、請求項２に記載の装置。
【請求項８】
基地局に配置された、ユーザ装置をページングする装置であって、
ページンググループインデックスを示す指示情報を送信する情報送信手段であって、前記ページンググループインデックスは第１グレードページンググループインデックス及び第２グレードページンググループインデックスを含む、情報送信手段を含み、
前記第１グレードページンググループインデックスは、ユーザ装置の固有識別情報、又は前記ユーザ装置の固有識別情報及びネットワーク構成パラメータに基づいて取得され、
前記第２グレードページンググループインデックスは、ＭＭＥ（モビリティ管理エンティティ）により前記ユーザ装置のために割り当てられたネットワーク識別情報に基づいて取得される、装置。
【請求項９】
前記ＭＭＥにより送信された前記ネットワーク識別情報を受信する識別情報受信手段と、
前記ユーザ装置の固有識別情報、又は前記ユーザ装置の固有識別情報及びネットワーク構成パラメータに基づいて、前記ユーザ装置の第１グレードページンググループインデックスを計算する第３計算手段と、
前記ネットワーク識別情報に基づいて、前記ユーザ装置の第２グレードページンググループインデックスを計算する第４計算手段と、をさらに含む、請求項８に記載の装置。
【請求項１０】
前記ＭＭＥにより送信された前記第１グレードページンググループインデックス及び前記第２グレードページンググループインデックスを受信するインデックス受信手段、をさらに含む、請求項８に記載の装置。
【請求項１１】
前記情報送信手段は、周期情報をさらに送信し、
前記周期情報は、前記ユーザ装置がページングメッセージを受信した後の複数のページング周期内で監視が必要でないことを示す、請求項８に記載の装置。
【請求項１２】
前記ユーザ装置の固有識別情報は国際移動体加入者識別子であり、前記ネットワーク識別情報は一時移動体加入者識別子であり、前記ネットワーク構成パラメータはセルのページング周期におけるページングオケージョンの数である、請求項８に記載の装置。
【請求項１３】
ＭＭＥ（モビリティ管理エンティティ）に配置された、ユーザ装置をページングする装置であって、
前記ＭＭＥにアタッチされているユーザ装置のためにネットワーク識別情報を割り当てる識別情報割り当て手段、を含み、
前記ネットワーク識別情報は、同一の第１グレードページンググループに属する複数のユーザ装置を、異なる第２グレードページンググループ内に均一に分布させるものであり、
前記第１グレードページンググループは、前記複数のユーザ装置の固有識別情報、又は前記複数のユーザ装置の固有識別情報及びネットワーク構成パラメータに基づいて形成される、装置。
【請求項１４】
前記ユーザ装置のために割り当てられた前記ネットワーク識別情報を基地局に送信する識別情報送信手段、をさらに含む、請求項１３に記載の装置。
【請求項１５】
前記ユーザ装置の固有識別情報、又は前記ユーザ装置の固有識別情報及びネットワーク構成パラメータに基づいて、前記ユーザ装置の第１グレードページンググループインデックスを計算する第５計算手段と、
前記ネットワーク識別情報に基づいて、前記ユーザ装置の第２グレードページンググループインデックスを計算する第６計算手段と、
前記第１グレードページンググループインデックス及び前記第２グレードページンググループインデックスを基地局に送信するインデックス送信手段と、をさらに含む、請求項１３に記載の装置。
【請求項１６】
前記固有識別情報は国際移動体加入者識別子であり、前記ネットワーク識別情報は一時移動体加入者識別子であり、前記ネットワーク構成パラメータはセルのページング周期におけるページングオケージョンの数である、請求項１３に記載の装置。
【請求項１７】
前記識別情報割り当て手段は、
前記ユーザ装置の前記国際移動体加入者識別子におけるＬビットを決定するビット決定手段であって、ここで、前記Ｌは所定値であり、前記Ｌビットにより構成された数値はｔｅｍｐであり、前記ｔｅｍｐは変数Ｓ−ＴＭＳＩ＿Ｇｒｏｕｐ［ｔｅｍｐ］に対応する、ビット決定手段と、
Ｓ−ＴＭＳＩ  ｍｏｄ  ２＾Ｍ＝Ｓ−ＴＭＳＩ＿Ｇｒｏｕｐ［ｔｅｍｐ］という条件を満たす前記一時移動体加入者識別子を生成する識別情報生成手段であって、ここで、前記ＭはＳ−ＴＭＳＩグループ分けに用いられる所定のビット数であり、ｍｏｄはモジュロ演算を表す、識別情報生成手段と、
前記Ｓ−ＴＭＳＩを前記ユーザ装置に割り当てる識別情報決定手段と、
Ｓ−ＴＭＳＩ＿Ｇｒｏｕｐ［ｔｅｍｐ］を更新する変数更新手段と、を含む、請求項１６に記載の装置。
【請求項１８】
前記識別情報割り当て手段は、
２＾Ｌ個の変数Ｓ−ＴＭＳＩ＿ＧｒｏｕｐＩＤ［ｉ］を記憶する変数記憶手段であって、ここで、ｉ＝０，１，２，３，…，２＾Ｌ−１となる、変数記憶手段と、
Ｓ−ＴＭＳＩ＿ＧｒｏｕｐＩＤ［ｉ］を初期化し、前記変数更新手段により更新されたＳ−ＴＭＳＩ＿Ｇｒｏｕｐ［ｔｅｍｐ］の値が２＾Ｍに等しくなる場合、前記Ｓ−ＴＭＳＩ＿Ｇｒｏｕｐ［ｔｅｍｐ］をリセットする初期化手段と、をさらに含む、請求項１７に記載の装置。
【請求項１９】
前記ビット決定手段は、前記第１グレードページンググループが前記複数のユーザ装置の固有識別情報及びネットワーク構成パラメータに基づいて形成された場合、前記国際移動体加入者識別子における下位１０ビットを選択し、
ここで、ＵＥ＿ＩＤ＝ＩＭＳＩ  ｍｏｄ  １０２４、
Ｐａｇｉｎｇ＿ＧｒｏｕｐＩＤ＝ＵＥ＿ＩＤ  ｄｉｖ  ｎＢ、又はＰａｇｉｎｇ＿ＧｒｏｕｐＩＤ＝ｆｌｏｏｒ（ＵＥ＿ＩＤ／ｎＢ）、
Ｐａｇｉｎｇ＿ＧｒｏｕｐＩＤは第１グレードページンググループインデックスであり、ＩＭＳＩは国際移動体加入者識別子であり、ｎＢは前記ネットワーク構成パラメータであり、ｍｏｄはモジュロ演算を表し、ｄｉｖは除算演算を表し、ｆｌｏｏｒは床関数演算を表す、請求項１７に記載の装置。
【請求項２０】
前記ビット決定手段は、前記第１グレードページンググループが前記複数のユーザ装置の固有識別情報に基づいて形成された場合、前記国際移動体加入者識別子における下位１０ビット及び低い順のｌｏｇ２Ｐ＋１番目のビットからｌｏｇ２（Ｇ＊Ｐ）番目のビットを選択し、
ここで、Ｐａｇｉｎｇ＿ＧｒｏｕｐＩＤ＝（ＩＭＳＩ  ｍｏｄ  Ｇ＊Ｐ）／Ｐ、
Ｇ及びＰは所定値であり、且つＰ≧１０２４、Ｐａｇｉｎｇ＿ＧｒｏｕｐＩＤは第１グレードページンググループインデックスであり、ＩＭＳＩは国際移動体加入者識別子であり、ｍｏｄはモジュロ演算を表す、請求項１７に記載の装置。
【国際調査報告】
2019503127.tif 000022
2019503127.tif 000023
2019503127.tif 000024
2019503127.tif 000025